(57)【要約】【課題】フレームインの有無を確認可能であり、かつ、フレームインしていない場合には携帯電子機器の撮影方向を変更可能な携帯電子機器及び撮影システムを提供すること。【解決手段】被操作側携帯電話機１０１は、被写体を撮影可能な撮像部１１３と、撮像部１１３によって撮影された画像を転送可能な近距離通信部１５４と、撮像部１１３が撮影する方向を変更可能な振動発生部１１７と、撮像部１１３によって撮影された画像を、近距離通信部１５４によって操作側携帯電話機２０１に対して送信する制御部１５７と、を有し、制御部１５７は、受信した操作信号によって、撮像部１１３を制御し、近距離通信部１５４を介して操作側携帯電話機２０１から撮影方向指示信号を受信した場合には、撮影方向指示信号に応じて、振動発生部１１７を制御して撮影方向を変更する。【選択図】図２
2011114694.tif 000002
【特許請求の範囲】
【請求項１】
被写体を撮影可能な撮像部と、
前記撮像部によって撮影された画像を転送可能な近距離通信部と、
前記撮像部が撮影する方向を変更可能な撮影方向変更部と、
前記撮像部によって撮影された画像を、前記近距離通信部によって他の携帯電子機器に対して送信する制御部と、を有し、
前記制御部は、
受信した操作信号によって、前記撮像部を制御し、
前記近距離通信部を介して前記他の携帯電子機器から撮影方向指示信号を受信した場合には、前記撮影方向指示信号に応じて、前記撮影方向変更部を制御して撮影方向を変更する
携帯電子機器。
【請求項２】
前記撮影方向変更部は、筐体内部に設置された振動発生部から形成されており、
前記制御部は、前記振動発生部の振動数、振動発生の有無を制御することによって撮影方向を変更する
請求項１に記載の携帯電子機器。
【請求項３】
前記振動発生部は、
第１の振動発生用モータと、
前記第１の振動発生用モータによって駆動される第１の分銅と、
第２の振動発生用モータと、
前記第２の振動発生用モータによって駆動される第２の分銅と、を有し、
前記制御部は、
前記第１の振動発生用モータ又は前記第２の振動発生用モータの少なくともいずれか一方を回転させることによって撮影方向を変更する
請求項２に記載の携帯電子機器。
【請求項４】
前記振動発生部は、
第１の振動発生用モータと、
前記第１の振動発生用モータによって駆動される第１の分銅と、を有し、
前記振動発生部は、筐体の長手方向の中心線上に配置されており、
前記制御部は、
前記振動発生用モータを、変更したい撮影方向とは反対側方向に回転させることによって撮影方向を変更する
請求項２に記載の携帯電子機器。
【請求項５】
記憶部を有し、
前記制御部は、
前記撮像部が撮影した画像を前記記憶部に記憶するだけの記憶部の容量がない場合には、前記近距離通信部を用いて前記他の携帯電子機器に送信して、前記他の携帯電子機器の記憶部に記憶させる
請求項１〜４いずれか１項に記載の携帯電子機器。
【請求項６】
前記振動発生用モータは、時計回り又は反時計回りに駆動可能である
請求項３又は請求項４に記載の携帯電子機器。
【請求項７】
前記振動モータは、前記携帯電子機器の重心よりも低い位置に配置される
請求項３、４又は６に記載の携帯電子機器。
【請求項８】
操作側携帯電話機としての第１のモードと、
被操作側携帯電話機としての第２のモードと、を有する
請求項１〜７いずれか１項に記載の携帯電子機器。
【請求項９】
前記近距離通信部は第１の通信方法と第２の通信方法を有し、
前記第１の通信方法によって、撮影された画像を受信し、
前記第２の通信方法によって、前記他の携帯電子機器から撮影方向指示信号を受信する
請求項１〜８いずれか１項に記載の携帯電子機器。
【請求項１０】
基地局との通信を優先する基地局優先モードと、
近距離通信を優先する近距離通信優先モードと、を有し、
前記制御部は、前記近距離通信優先モードであり、かつ、前記第２のモードである場合に、着信があっても着信を報知するための振動を発生させない
請求項８に記載の携帯電子機器。
【請求項１１】
少なくとも近距離通信部と、撮像部と、撮影方向変更部を有する第１の携帯電子機器と第２の携帯電子機器とを含み、
前記第１の携帯電子機器と第２の携帯電子機器とは、前記近距離通信部を用いて相互に前記撮像部を操作可能であり、
前記第１の携帯電子機器と第２の携帯電子機器とは、前記撮像部を操作する操作側端末としての第１のモードと、被操作側端末としての第２のモードと、を有しており、
前記第１の携帯電子機器が前記第１のモードに設定され、前記第２の携帯電子機器が第２のモードに設定された場合に、
前記第１の携帯電子機器は、
該第１の携帯電子機器の操作に応じて、第２の携帯電子機器の前記撮像部に対する操作信号及び第２の携帯電子機器の前記撮影方向変更部に対する撮影方向指示信号を生成し、
前記撮影方向指示信号を、前記第２の携帯電子機器に対して前記近距離通信部を介して第２の携帯電子機器に対して送信し、
前記操作信号及び前記撮影方向指示信号を、前記近距離通信部を介して受信した前記第２の携帯電子機器は、
前記操作信号に応じて撮像部を制御し、
前記撮影方向指示信号に応じて撮影方向変更部を制御して、撮影方向を変更する
撮影システム。
【発明の詳細な説明】
【技術分野】
【０００１】
本発明は、カメラ付きの携帯電話機、ＰＤＡ、携帯型ゲーム機、携帯用テレビ、携帯用ラジオ等の携帯電子機器及びこれらの携帯電子機器を用いたシステムに関する。
【背景技術】
【０００２】
特許文献１には、ファインダによるフレーミングが行われた後、リモコンが操作されるまでの間中、被写体の人がフレームインしていることを確認することが可能な携帯電子機器が開示されている。
【先行技術文献】
【特許文献】
【０００３】
【特許文献１】特開２００８―９８８３２号公報
【発明の概要】
【発明が解決しようとする課題】
【０００４】
しかしながら、特許文献１に記載の方法においては、フレームインしていない場合には、再度携帯電子機器の位置及び撮影方向をユーザが手で調節する必要があり煩雑であり、構図の確定が困難であるという不利益がある。
【０００５】
本発明の目的は、フレームインの有無を確認可能であり、かつ、フレームインしていない場合には携帯電子機器の撮影方向を変更可能な携帯電子機器及び撮影システムを提供することにある。
【課題を解決するための手段】
【０００６】
本発明の携帯電子機器は、被写体を撮影可能な撮像部と、前記撮像部によって撮影された画像を転送可能な近距離通信部と、前記撮像部が撮影する方向を変更可能な撮影方向変更部と、前記撮像部によって撮影された画像を、前記近距離通信部によって他の携帯電子機器に対して送信する制御部と、を有し、前記制御部は、受信した操作信号によって、前記撮像部を制御し、前記近距離通信部を介して前記他の携帯電子機器から撮影方向指示信号を受信した場合には、前記撮影方向指示信号に応じて、前記撮影方向変更部を制御して撮影方向を変更する。
【０００７】
好適には、前記撮影方向変更部は、筐体内部に設置された振動発生部から形成されており、前記制御部は、前記振動発生部の振動数、振動発生の有無を制御することによって撮影方向を変更する。
【０００８】
好適には、前記振動発生部は、第１の振動発生用モータと、前記第１の振動発生用モータによって駆動される第１の分銅と、第２の振動発生用モータと、前記第２の振動発生用モータによって駆動される第２の分銅と、を有し、前記制御部は、前記第１の振動発生用モータ又は前記第２の振動発生用モータの少なくともいずれか一方を回転させることによって撮影方向を変更する。
【０００９】
好適には、前記振動発生部は、第１の振動発生用モータと、前記第１の振動発生用モータによって駆動される第１の分銅と、を有し、前記振動発生部は、筐体の長手方向の中心線上に配置されており、前記制御部は、前記振動発生用モータを、変更したい撮影方向とは反対側方向に回転させることによって撮影方向を変更する。
【００１０】
好適には、記憶部を有し、前記制御部は、前記撮像部が撮影した画像を前記記憶部に記憶するだけの記憶部の容量がない場合には、前記近距離通信部を用いて前記他の携帯電子機器に送信して、前記他の携帯電子機器の記憶部に記憶させる。
【００１１】
好適には、前記振動発生用モータは、時計回り又は反時計回りに駆動可能である。
【００１２】
好適には、前記振動モータは、前記携帯電子機器の重心よりも低い位置に配置される。
【００１３】
好適には、操作側携帯電話機としての第１のモードと、被操作側携帯電話機としての第２のモードと、を有する。
【００１４】
好適には前記近距離通信部は第１の通信方法と第２の通信方法を有し、前記第１の通信方法によって、撮影された画像を受信し、前記第２の通信方法によって、前記他の携帯電子機器から撮影方向指示信号を受信する。
【００１５】
好適には、基地局との通信を優先する基地局優先モードと、近距離通信を優先する近距離通信優先モードと、を有し、前記制御部は、前記近距離通信優先モードであり、かつ、前記第２のモードである場合に、着信があっても着信を報知するための振動を発生させない。
【００１６】
本発明の通信システムは、少なくとも近距離通信部と、撮像部と、撮影方向変更部を有する第１の携帯電子機器と第２の携帯電子機器とを含み、前記第１の携帯電子機器と第２の携帯電子機器とは、前記近距離通信部を用いて相互に前記撮像部を操作可能であり、前記第１の携帯電子機器と第２の携帯電子機器とは、前記撮像部を操作する操作側端末としての第１のモードと、被操作側端末としての第２のモードと、を有しており、前記第１の携帯電子機器が前記第１のモードに設定され、前記第２の携帯電子機器が第２のモードに設定された場合に、前記第１の携帯電子機器は、該第１の携帯電子機器の操作に応じて、第２の携帯電子機器の前記撮像部に対する操作信号及び第２の携帯電子機器の前記撮影方向変更部に対する撮影方向指示信号を生成し、前記撮影方向指示信号を、前記第２の携帯電子機器に対して前記近距離通信部を介して第２の携帯電子機器に対して送信し、前記操作信号及び前記撮影方向指示信号を、前記近距離通信部を介して受信した前記第２の携帯電子機器は、前記操作信号に応じて撮像部を制御し、前記撮影方向指示信号に応じて撮影方向変更部を制御して、撮影方向を変更する。
【発明の効果】
【００１７】
本発明によると、フレームインの有無を確認可能であり、かつ、フレームインしていない場合には携帯電子機器の撮影方向を変更可能な携帯電子機器及び撮影システムを提供することができる。
【図面の簡単な説明】
【００１８】
【図１】本発明の実施形態に係る携帯電話機の外観を開状態で示す斜視図である。
【図２】本発明の実施形態の説明図である。
【図３】被操作側携帯電話機の信号処理系を示すブロック図である。
【図４】本実施形態における処理のフローチャートの前半部分である。
【図５】本実施形態における処理のフローチャートの後半部分である。
【図６】振動発生部の具体的な第１の構成例である。
【図７】振動発生部の具体的な第２の構成例である。
【発明を実施するための形態】
【００１９】
図１は、本発明の実施形態に係る被操作側携帯電話機１０１の外観を示す斜視図である。
【００２０】
被操作側携帯電話機１０１は、折り畳み式として構成されている。
第１筐体１０２と第２筐体１０３とは、ヒンジ部で開動可能に連結されている。
被操作側携帯電話機１０１は第１筐体１０２及び第２筐体１０３とで構成されている。
【００２１】
図１のように、第１筐体１０２には撮像部１１３及び近距離通信部１５４が配置されている。
この撮像部１１３は、被写体を動画又は静止画として撮影可能なカメラである。
また、近距離通信部１５４はＩｒＤＡ又はブルートゥース（登録商標）等から構成されている。
この近距離通信部１５４によって被操作側携帯電話機１０１は、操作側携帯電話機２０１と近距離通信可能である。
【００２２】
図２は、本発明の実施形態の説明図である。
【００２３】
図２のように、２台の携帯電話機のうち、１台の被操作側携帯電話機１０１を台上等において、他方の操作側携帯電話機２０１をユーザが操作している。
被操作側携帯電話機１０１と操作側携帯電話機２０１は、基本的に同一の機能を有するが、完全に同一である必要はない。
被操作側携帯電話機１０１は、撮像部１１３、近距離通信部１５４、表示部１０８、入力部１１０を有する。
そして、表示部１０８には撮像部１１３が撮影した画像が表示される。また、この撮像部１１３が撮影した画像信号は、近距離通信部１５４を通じて操作側携帯電話機２０１に送信される。
操作側携帯電話機２０１は、被操作側携帯電話機１０１が送信した画像信号を近距離通信部が受信してこれを、操作側携帯電話機２０１の表示部に表示する。
そして、ユーザは操作側携帯電話機２０１の表示部に表示された画像を確認して、画像サイズ、ホワイトバランス、その他の設定を操作側携帯電話機２０１の入力部を操作することによって変更する。
この操作内容は操作信号として、操作側携帯電話機２０１の近距離通信部が、被操作側携帯電話機１０１へ送信する。
被操作側携帯電話機１０１は、操作信号に基づき、画像サイズ、ホワイトバランス、その他の設定（たとえば、ナイトモードの設定）を変更する。
そして、被操作側携帯電話機１０１は、変更したことによる新たな画像を、画像信号として、近距離通信部１５４を通じて操作側携帯電話機２０１に送信する。
この画像信号を操作側携帯電話機２０１の近距離通信部は受信し、操作側携帯電話機２０１はこの画像を表示部に表示する。
この被操作側携帯電話機１０１が撮影した映像を操作側携帯電話機２０１に表示させることは、被操作側携帯電話機１０１の及び操作側携帯電話機２０１の各近距離通信部が通信可能な範囲で常に行われる。
また、シャッタータイミングの制御も同様にして行われる。
【００２４】
さらに、ユーザは、操作側携帯電話機２０１の表示部に表示された画像から、フレームインしているか、構図は適切であるかを判断する。そして、不適正であり修正したい場合には、ユーザは操作側携帯電話機２０１の入力部を操作する。
このユーザの撮影方向の指示は、撮影方向指示信号として操作側携帯電話機２０１は近距離通信部を介して被操作側携帯電話機１０１に対して発信する。
これを受けた被操作側携帯電話機１０１は、後述する、撮影方向変更部によって被操作側携帯電話機１０１の撮影方向を変更する。
これによって、ユーザはフレームインの有無等を確認し、フレームインしていない場合や撮影位置を修正したい場合に、撮影方向を手元にある操作側携帯電話機２０１によって修正することができる。
以下に、その具体的方法について説明する。
【００２５】
図３は、被操作側携帯電話機１０１の信号処理系を示すブロック図である。
【００２６】
図３に示されるように、被操作側携帯電話機１０１は、制御・処理の中枢である制御部１５７と、電源制御部１５０と、通信部１５１と、操作部１５２と、音声入出力部１５３と、表示部１０８と、撮像部１１３と、記憶部１５６と、振動発生部１１７と、近距離通信部１５４のそれぞれが、アドレス、データ、コントロールのためのラインが複数本からなるシステムバス１５８に共通に接続され、構成される。
【００２７】
電源制御部１５０は、被操作側携帯電話機１０１が携帯して使用されている場合には、被操作側携帯電話機１０１内の、表示部１０８及び制御部１５７等が実装される回路基板等への電力の供給を制御している。
また、充電時には充電回路を制御して、バッテリへの充電開始及び停止、並びに充電の速度等を制御している。
【００２８】
通信部１５１は、無線通信システムを捕捉し、通信ネットワークに接続される基地局との間で無線通信を行い、各種データの送受信を行う。各種データとは、Ｗｅｂ上のダウンロードサイトからダウンロードされるファイルのデータ、音声通話時の音声データ、メール送受信時のメールデータ、ウェブ閲覧時のウェブページデータ、等である。
【００２９】
近距離通信部１５４は、他の携帯電話機、その他の電子機器と近距離通信を行うことが可能である。
この近距離通信部１５４は、通信部１５１よりも近距離での通信を行うために用いられている。
つまり、近距離通信部１５４は通信部１５１よりも近距離での通信を行うものをいう。
一般に近距離通信部１５４は通信部１５１よりも高速での情報通信が可能である。
近距離通信部１５４は、たとえば、赤外線通信、電波による通信が考えられる。
本実施形態においては、特に、近距離通信部１５４は撮像部１１３が撮影した画像を画像情報信号として操作側携帯電話機２０１に送信する。
また、近距離通信部１５４は操作側携帯電話機２０１によってなされたユーザの各種の操作を操作信号及び撮影方向指示信号として受信して、制御部１５７に伝達する役割をも有する。
さらにまた、携帯電話機が操作側携帯電話機２０１として用いられる場合には、被操作側携帯電話機１０１が送信した撮像部１１３の画像情報を受信する役割を有する。
また、同じく携帯電話機が操作側携帯電話機２０１として用いられる場合には、ユーザの各種の操作を操作信号及び撮影方向指示信号として送信する役割を有する。
【００３０】
操作部１５２は、入力部１１０及びその他の部分から入力されるユーザの指示を受け付ける。
入力部１１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部１５７に出力する。
本実施形態においては、特に、操作部１５２は、操作する側の携帯電話機として用いられた場合には、ユーザが指示する各種の操作の入力機器として作用する。
ユーザが指示する各種の操作とは、たとえば、画像サイズ、ホワイトバランス、シャッタータイミング、ナイトモード（夜間モード）等の切換え、撮影方向の変更の入力等である。
【００３１】
音声入出力部１５３は、スピーカから出力される音声信号やマイクロフォンにおいて入力される音声信号の入出力処理を行う。
すなわち、音声入出力部１５３は、マイクロフォンから入力された音声を増幅し、アナログ／デジタル変換を行い、更に符号化等の信号処理を施し、デジタルの音声データに変換して制御部１５７に出力する。
また、音声入出力部１５３は、制御部１５７から供給される音声データに復号化、デジタル／アナログ変換、増幅等の信号処理を施し、アナログの音声信号に変換してスピーカに出力する。
また、マイクロフォンによって音声データに変換された音声データ信号は、操作側携帯電話機２０１に送信されて、操作側携帯電話機２０１において音声出力されていてもよい。
【００３２】
表示部１０８は、例えばＬＣＤやＯＬＥＤ（Organic light-emitting diode（有機ＥＬ））を用いて構成されており、制御部１５７から供給される映像信号に応じた画像を表示する。
表示部１０８は、例えば、通信部１５１による無線発信時における発信先の電話番号、着信時における発信元の電話番号、受信メールや送信メールの内容、日付、時刻、電池残量、発信成否、待ち受け画面等を表示する。
本実施形態においては、特に、表示部１０８は撮像部１１３が撮影した画像を表示する機能を有する。
また、携帯電話機が操作側携帯電話機２０１として用いられた場合には、被操作側携帯電話機１０１が送信した撮像部１１３の画像信号を、ユーザに認識させるために、画像として表示する役割をも有する。
【００３３】
撮像部１１３は、ＣＣＤ（Charge Coupled Device）やＣＭＯＳ（Complementary Metal Oxide Semiconductor）イメージセンサ等の光電変換素子とその制御回路等により構成されるカメラである。
また、撮像部１１３は画像を単純に撮影する機能に加えて、画像サイズ、ホワイトバランス、その他の設定等の変更を行うことも可能である。
さらにまた、撮像部１１３は静止画に加えて動画を撮影することもできる。
【００３４】
記憶部１５６では、被操作側携帯電話機１０１の各種処理に利用される各種データを記憶する。
記憶部１５６は、例えば制御部１５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
本実施形態においては、記憶部１５６は撮像部１１３が撮影した画像データを記憶する役割をも有する。
さらに、記憶部１５６の記憶容量が不足する場合には、操作側携帯電話機２０１に対して画像データを近距離通信部１５４によって送信して、操作側携帯電話機２０１が記憶してもよい。
【００３５】
振動発生部１１７は、制御部１５７によってその振動発生が制御されている。
振動発生部１１７は、撮影方向変更部の一例である。
振動を発生することによって、被操作側携帯電話機１０１の方向や位置などを変更する。
つまり、振動を発生するとその振動の方向、周波数、振動が発生した位置、携帯電話機の形状等に応じて、その振動によって携帯電話機は移動する。
この移動を振動発生部１１７によって生じさせ、振動発生部１１７が発生する振動を制御部１５７によって制御することによって携帯電話機の移動方向を制御する。
なお、振動発生部１１７の位置については後述する。
【００３６】
制御部１５７は、携帯電話機の全体的な動作を統括的に制御する。
すなわち、制御部１５７は、携帯電話機の各種処理（回線交換網を介して行われる音声通話、電子メールの作成と送受信、インターネットのＷｅｂ上のダウンロードサイトの閲覧など）が操作部１５２の操作に応じて適切な手順で実行されるように、上述した各ブロックの動作（通信部１５１における信号の送受信、表示部１０８における画像の表示、撮像部１１３における撮像処理等）を制御する。
さらに、制御部１５７は、記憶部１５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部１５７は、記憶部１５６に格納されるオペレーティングシステムやアプリケーションプログラム等のプログラムから命令コードを順次受け取って処理を実行する。
【００３７】
本実施形態においては、制御部１５７は、操作側携帯電話機２０１から発信されたユーザの各種の操作に応じて、画像サイズ、ホワイトバランス、その他の設定（たとえば、ナイトモードの設定）、振動発生部１１７の制御を行う。
特に、振動発生部１１７を制御することによって、撮影方向を変更する。
【００３８】
図４は、本実施形態における処理のフローチャートの前半部分である。
【００３９】
ステップＳＴ０１において、近距離通信部によってカメラ機動制御を行う。
その信号を受けた被操作側携帯電話機１０１は、ステップＳＴ２１において撮像部１１３を起動する。
また、被操作側携帯電話機１０１は、ステップＳＴ２２においてビューイングを行う。
【００４０】
ステップＳＴ２３において、被操作側携帯電話機１０１は、撮影した画像データを送信する。ステップＳＴ０２において、この画像データを受信した操作側携帯電話機２０１は、画像を表示部に表示する。
【００４１】
ステップＳＴ０３において、その画像を参照して、ユーザは画像サイズの設定を送信する。
ステップＳＴ２４において、被操作側携帯電話機１０１は、画像サイズの設定を受けた画像サイズに設定する。
【００４２】
そして、ステップＳＴ２５において、被操作側携帯電話機１０１は、撮影した画像データを送信する。ステップＳＴ０４において、この画像データを受信した操作側携帯電話機２０１は、画像を表示部に表示する。
【００４３】
ステップＳＴ０５において、この画像に基づいてユーザはホワイトバランスの設定を決定し、操作側携帯電話機２０１はこの設定を、被操作側携帯電話機１０１に送信する。
ステップＳＴ２６において、被操作側携帯電話機１０１はホワイトバランスを設定する。
【００４４】
そして、ステップＳＴ２７において、被操作側携帯電話機１０１は、撮影した画像データを送信する。ステップＳＴ０６において、この画像データを受信した操作側携帯電話機２０１は、画像を表示部に表示する。
【００４５】
ステップＳＴ０７において、この画像に基づいて、ユーザはその他の設定（ナイトモード、特殊効果等）を決定し、操作側携帯電話機２０１はこの設定を、被操作側携帯電話機１０１に送信する。
ステップＳＴ２８において、被操作側携帯電話機１０１はその他の設定を設定する。
【００４６】
そして、ステップＳＴ２９において、被操作側携帯電話機１０１は、撮影した画像データを送信する。ステップＳＴ０８において、この画像データを受信した操作側携帯電話機２０１は、画像を表示部に表示する。
【００４７】
図５は、本実施形態における処理のフローチャートの後半部分である。
【００４８】
ステップＳＴ０９において、この画像に基づいてユーザは撮影方向を変更し、操作側携帯電話機２０１はこの変更を、撮影方向指示信号として被操作側携帯電話機１０１に送信する。
ステップＳＴ３０において、被操作側携帯電話機１０１は撮影方向指示信号に基づいて、振動発生部１１７を制御して、被操作側携帯電話機１０１の方向を変更する。
【００４９】
そして、ステップＳＴ３１において、被操作側携帯電話機１０１は、撮影した画像データを送信する。ステップＳＴ１０において、この画像データを受信した操作側携帯電話機２０１は、画像を表示部に表示する。
【００５０】
ステップＳＴ１１において、この画像に基づいてユーザはシャッターを切り、操作側携帯電話機２０１はこの信号を被操作側携帯電話機１０１に送信する。
ステップＳＴ３２において、被操作側携帯電話機１０１はシャッター信号を受信し、ステップＳＴ３３においてシャッターを切る。
【００５１】
そして、ステップＳＴ３４において、被操作側携帯電話機１０１は、撮影した画像データを送信する。ステップＳＴ１２において、この画像データを受信した操作側携帯電話機２０１は、画像を表示部に表示する。
【００５２】
最後に、ステップＳＴ３５において、被操作側携帯電話機１０１は撮影した画像を記憶部１５６に保存する。なお、必要があれば、以上の操作を繰り返すことができる。
【００５３】
図６は、振動発生部１１７の具体的な第１の構成例である。
【００５４】
被操作側携帯電話機１０１は、折り畳み式として構成されている。
被操作側携帯電話機１０１は第１筐体１０２及び第２筐体１０３とで構成されている。
第１筐体１０２は、第２筐体１０３と対向する部分を構成する第１筐体フロントケース１０４と、第２筐体１０３とは反対側部分を構成する第１筐体リアケース１０５とを有している。
第２筐体１０３は、第１筐体１０２と対向する部分を構成する第２筐体フロントケース１０６と、第１筐体１０２とは反対側部分を構成する第２筐体リアケース１０７とを有している。
【００５５】
第１筐体フロントケース１０４及び第１筐体リアケース１０５はネジ等により互いに固定され、第１筐体フロントケース１０４及び第１筐体リアケース１０５の間に形成された空間に種々の電子部材を収容する収容空間を構成する。
第２筐体フロントケース１０６及び第２筐体リアケース１０７もネジ等により互いに固定され、第２筐体フロントケース１０６及び第２筐体リアケース１０７の間に形成された空間に種々の電子部材を収容する収容空間を構成する。
これらの第１筐体フロントケース１０４、第１筐体リアケース１０５、第２筐体フロントケース１０６及び第２筐体リアケース１０７は、例えば、樹脂により形成されている。
【００５６】
図６（ａ）のように、第２筐体１０３の端部に振動発生部１１７を２個設ける。
そして、図６（ｂ）のように、振動発生部１１７は、回転運動を発生させる振動発生用モータ１１９と、重心が偏芯している分銅１２１から構成されている。
そして、２つの振動発生部１１７は、振動発生用モータ１１９が相対するように配置されている。
もっとも、必ずしも、このように配置する必要はなく、必要に応じて第２筐体１０３の長手方向に平行に振動発生部１１７を配置することも可能であるし、その他の位置・角度で配置することも可能である。
【００５７】
このように、２つ配置した振動発生部１１７において、１方のみを駆動して、被操作側携帯電話機１０１を回転させることができる。
もしくは、２つの振動発生部１１７を反対方向に回転させることによって、被操作側携帯電話機１０１を回転させることができる。
この回転方向（時計回り又は反時計回り）や、周波数、回転速度の変更等は必要に応じて任意に変更可能である。
回転方向を変更することによって、携帯電話機１の回転可能にしている。
また、図６のように、振動発生部１１７（振動発生用モータ１１９）は、携帯電子機器の重心よりも低い位置に配置される。
このように、振動発生部１１７（振動発生用モータ１１９）は、携帯電子機器の重心よりも低い位置に配置されることによって、振動によってより確実に携帯電話機１を移動させることが可能となる。
【００５８】
被操作側携帯電話機１０１は、操作側携帯電話機２０１となることも可能である。
そのために、携帯電話機は、被操作側携帯電話機１０１となる第１のモードを有し、
さらに、操作側携帯電話機２０１となる第２のモードを有する。
そして、第１のモードと第２のモードとを切り換えることによって、必要に応じて、被操作側携帯電話機１０１又は操作側携帯電話機２０１のいずれかとして機能することが可能となる。
【００５９】
また、近距離通信部１５４は、２つの異なる通信方法を有していてもよい。
その場合には、たとえば、１つはＩｒＤＡによる通信方法であり、１つはブルートゥース（登録商標）による通信方法である。
そして、ＩｒＤＡによる通信方法によって撮影した画像を通信し、ブルートゥースによって、携帯電話機１の撮影方向を指示する撮影方向指示信号を通信する。
このように構成したことによって、それぞれの通信方法の特性に応じて最適な通信を行うことができる。
【００６０】
また、基地局との通信を優先する基地局優先モードと、近距離通信を優先する近距離通信優先モードと、を有していてもよい。
そして、制御部５７は、近距離通信優先モードであり、かつ、被操作側携帯電話機１０１として使用されている場合には、着信があっても着信を報知するための振動を発生させないようにしてもよい。
このように構成したことによって、着信があって振動が発生することによって、撮影した画像がぶれてしまうということが無くなる。
【００６１】
図７は、振動発生部１１７の具体的な第２の構成例である。
【００６２】
図６と異なる点は、振動発生部１１７が１つであり、第２筐体１０３の中心部に長手方向に平行に１つ配置されている点である。
このように構成したことによって、振動発生部１１７の回転方向に応じて、被操作側携帯電話機１０１を回転させることができる。
なお、この構成例では、第２筐体１０３の中心部に長手方向に平行に配置しているが、必ずしもこの位置に配置する必要性はない。たとえば、第２筐体１０３の側面側に配置することも可能である。
【００６３】
本発明をより上位概念でとらえると、操作側携帯電話機２０１の操作によって、被操作側携帯電話機１０１の撮像部１１３の撮影する部分を変更するということである。
したがって、撮影方向変更部は必ずしも振動発生部１１７により構成されている必要はない。
つまり、たとえば、撮像部１１３の撮影角度を変更する機構で行っていてもよいし、振動以外のアクチュエータによって被操作側携帯電話機１０１を移動・回転等させてもよい。
以上のように、撮影方向変更部とは、撮影方向を変更可能なものであればどのようなものであってもよい。
【００６４】
以上の実施形態によれば、被操作側携帯電話機１０１は、被写体を撮影可能な撮像部１１３と、撮像部１１３によって撮影された画像を転送可能な近距離通信部１５４と、前記撮像部１１３が撮影する方向を変更可能な振動発生部１１７とを有している。
また、撮像部１１３によって撮影された画像を、近距離通信部１５４によって操作側携帯電話機２０１に対して送信する制御部１５７と、を有している。
そして、制御部１５７は、受信した操作信号によって、撮像部１１３を制御する。
さらに、制御部１５７は、近距離通信部１５４を介して操作側携帯電話機２０１から撮影方向指示信号を受信した場合には、撮影方向指示信号に応じて、振動発生部１１７を制御して撮影方向を変更する。
以上のように構成したことによって、ユーザは操作側携帯電話機２０１に表示された画像を確認して、フレームインの有無を確認することができる。
フレームインしていない場合、又は、フレームインしていても構図を変更したい場合に、被操作側携帯電話機１０１を操作して、フレームインさせる又は構図を変更することができる。
これによって、ユーザは撮影時に、被操作側携帯電話機１０１の位置を変更するために被操作側携帯電話機１０１のそばまで行って、手動で被操作側携帯電話機１０１の位置を変更しなくてよくなり、利便性が向上する。
【００６５】
撮影方向変更部は、第２筐体１０３内部に設置された振動発生部１１７から形成されており、制御部１５７は、前記振動発生部の振動数、振動発生の有無を制御することによって撮影方向を変更する。
このように構成したことによって、従来から、マナーモード時に使用される振動発生部１１７をより有効に使用することができる。
つまり、マナーモード時に使用される振動発生部１１７を被操作側携帯電話機１０１の位置・角度を変更するために用いることができる。
【００６６】
振動発生部１１７は、第１の振動発生用モータ１１９と、第１の振動発生用モータ１１９によって駆動される第１の分銅１２１と、第２の振動発生用モータ１１９と、第２の振動発生用モータ１１９によって駆動される第２の分銅１２１と、を有している。
また、制御部１５７は、第１の振動発生用モータ１１９又は第２の振動発生用モータ１１９の少なくともいずれか一方を回転させることによって撮影方向を変更する。
このように構成したことによって、被操作側携帯電話機１０１をより確実に回転又は移動させることができる。
【００６７】
振動発生部１１７は、第１の振動発生用モータ１１９と、第１の振動発生用モータ１１９によって駆動される第１の分銅１２１と、を有している。
また、振動発生部１１７は、第２筐体１０３の長手方向の中心線上に配置されており、制御部は、振動発生用モータ１１９を、変更したい撮影方向とは反対側方向に回転させることによって撮影方向を変更する。
このように構成したことによって、簡便な構成にもかかわらず、被操作側携帯電話機１０１をより確実に回転又は移動させることができる。
【００６８】
記憶部１５６を有し、制御部１５７は、撮像部１１３が撮影した画像を記憶部１５６に記憶するだけの記憶部の容量がない場合には、近距離通信部を用いて操作側携帯電話機２０１に送信して、操作側携帯電話機２０１の記憶部１５６に記憶させる。
このような構成によって、被操作側携帯電話機１０１の記憶部１５６に容量がなくても撮影した画像を記憶することができる。
【００６９】
振動発生用モータは、時計回り又は反時計回りに駆動可能である。
このように構成したことによって、携帯電話機１の回転を可能にしている。
【００７０】
前記振動モータは、前記携帯電子機器の重心よりも低い位置に配置される。
このように構成したことによって、振動によってより確実に携帯電話機１を移動させることが可能となる。
【００７１】
操作側携帯電話機２０１としての第１のモードと、被操作側携帯電話機１０１としての第２のモードと、を有する。
このように構成したことによって、そして、第１のモードと第２のモードとを切り換えることによって、必要に応じて、被操作側携帯電話機１０１又は操作側携帯電話機２０１のいずれかとして機能することが可能となる。
【００７２】
近距離通信部１５４は第１の通信方法と第２の通信方法を有し、第１の通信方法によって、撮影された画像を受信し、第２の通信方法によって、他の携帯電子機器から撮影方向指示信号を受信する。
このように構成したことによって、それぞれの通信方法の特性に応じて最適な通信を行うことができる。
【００７３】
基地局との通信を優先する基地局優先モードと、近距離通信を優先する近距離通信優先モードと、を有し、制御部５７は、近距離通信優先モードであり、かつ、第２のモードである場合に、着信があっても着信を報知するための振動を発生させない。
このように構成したことによって、着信があって振動が発生することによって、撮影した画像がぶれてしまうということが無くなる。
【００７４】
本実施形態の撮影システムは、少なくとも近距離通信部１５４と、撮像部１１３と、振動発生部１１７を有する操作側携帯電話機２０１と被操作側携帯電話機１０１とを含んでいる。
操作側携帯電話機２０１と被操作側携帯電話機１０１とは、近距離通信部１５４を用いて相互に撮像部１１３を操作可能である。
そして、操作側携帯電話機２０１と被操作側携帯電話機１０１とは、撮像部１１３を操作する操作側端末としての第１のモードと、被操作側端末としての第２のモードと、を有している。
そして、操作側携帯電話機２０１が第１のモードに設定され、被操作側携帯電話機１０１が第２モードに設定された場合に、
操作側携帯電話機２０１は、操作側携帯電話機２０１の操作に応じて、被操作側携帯電話機１０１の撮像部１１３に対する操作信号及び被操作側携帯電話機１０１の振動発生部１１７に対する撮影方向指示信号を生成する。
また、操作側携帯電話機２０１は、前記撮影方向指示信号を、被操作側携帯電話機１０１に対して近距離通信部１５４を介して被操作側携帯電話機１０１に対して送信する。
そして、記操作信号及び撮影方向指示信号を、近距離通信部１５４を介して受信した前記被操作側携帯電話機１０１は、操作信号に応じて撮像部１１３を制御し、撮影方向指示信号に応じて振動発生部１１７を制御して、撮影方向を変更する。
以上のように構成したことによって、ユーザは操作側携帯電話機２０１に表示された画像を確認して、フレームインの有無を確認することができる。
フレームインしていない場合、又は、フレームインしていても構図を変更したい場合に、被操作側携帯電話機１０１を操作して、フレームインさせる又は構図を変更することができる。
これによって、ユーザは撮影時に、被操作側携帯電話機１０１の位置を変更するために被操作側携帯電話機１０１のそばまで行って、手動で被操作側携帯電話機１０１の位置を変更しなくてよくなり、利便性が向上する。
【００７５】
なお、以上の実施形態において、第１筐体１０２及び第２筐体１０３は本発明の筐体の一例である。つまり、筺体とは、携帯電子機器を収容する容器に該当するものであればどのようなものであってもよい。さらに、容器の一部、例えば、第１筐体フロントケース１０４、第１筐体リアケース１０５、第２筐体フロントケース１０６及び第２筐体リアケース１０７であっても筺体に該当する。
【００７６】
本発明は、以上の実施形態に限定されず、種々の態様で実施されてよい。
【００７７】
携帯電子機器は、携帯電話機に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００７８】
１０１…被操作側携帯電話機（第２の携帯電子機器）、１０２…第１筐体、１０３…第２筐体、１０４…第１筐体フロントケース、１０５…第１筐体リアケース、１０６…第２筐体フロントケース、１０７…第２筐体リアケース、１０８…表示部、１０９…ヒンジ部、１１０…入力部、１１１…右側面、１１２…左側面、１１３…撮像部、１１７…振動発生部、１１９…振動発生用モータ、１２１…分銅、１５０…電源制御部、１５１…通信部、１５２…操作部、１５３…音声入出力部、１５４…近距離通信部、１５６…記憶部、１５７…制御部、１５８…システムバス、２０１…操作側携帯電話機（第１の携帯電子機器）
【図１】
2011114694.tif 000003
【図２】
2011114694.tif 000004
【図３】
2011114694.tif 000005
【図４】
2011114694.tif 000006
【図５】
2011114694.tif 000007
【図６】
2011114694.tif 000008
【図７】
2011114694.tif 000009